(57)【特許請求の範囲】
【請求項１】
外筒に内筒を回動自在に嵌装保持すると共に、内筒と外筒との回動境界を跨ぎ、内筒の回動を規制する低温融性の材質よりなるセンサーピンを設けた作動装置と、扉内に取り付けられたケース内に回動自在に枢支され、常時突出方向に付勢された錠杆と、該錠杆の回動に連動するハブとを有した錠とを備え、該錠のハブに上記作動装置の内筒の係合部を扉の室内側から係合させて、作動装置と錠とを接続することにより、常時はハブを介して錠杆を後退した解錠状態に保持し、火災時には上記作動装置のセンサーピンが溶融または熱変形して、内筒の回動が許容されることにより、錠のハブの回動が許容されて、錠杆が突出して施錠されるようにした扉用防火装置であって、
前記センサーピンは、内筒と外筒の回動境界線を跨いで、内筒に形成したセンサーピン用の穴と外筒に形成したセンサーピン用の穴との間に嵌装し、そのセンサーピンの一端が外気に触れるように室内側に露出させてあることを特徴とする扉用防火装置。
【発明の詳細な説明】
【技術分野】
【０００１】
本発明は、扉用防火装置に関するものである。
【背景技術】
【０００２】
マンションや戸建住宅において火災が発生した場合、熱で玄関扉が膨張して変形し、炎や煙が外部に拡散してしまい隣接する住宅等に延焼することがある。特に、近年多く使用されているサッシ等の金属製扉の場合、変形が大きく延焼の虞れが強い。このような事態を防止するため、玄関扉等に特許文献1に示されているような防火装置が取り付けられていることがある。
【０００３】
特許文献１に記載の装置の場合、火炎が発生して高温となると、（室内側)座のセンサーピンが溶融して連結棒と座との係止が解除される。これにより、錠杆が突出して枠側の受部材に係止して、扉の変形を防止し、延焼を防ぐ構成とされている。
【先行技術文献】
【特許文献】
【０００４】
【特許文献１】特開平８−２３２５２０号公報
【発明の概要】
【発明が解決しようとする課題】
【０００５】
しかしながら、上記特許文献１に記載の装置の場合、センサーピンを設ける座の構成は複雑であると共に、専用の部品で構成されており、装置は高価なものであった。
【０００６】
本発明は上記事情に鑑みてなされたものであり、その主たる目的は、簡単な構成であり、しかも既製の部材を使用することができ、熱に対する感度が高い扉の防火装置を極めて安価に提供することにある。
【課題を解決するための手段】
【０００７】
本発明は、前記課題を解決するためになされたものであり、請求項1に記載の発明の扉用防火装置は、外筒に内筒を回動自在に嵌装保持すると共に、内筒と外筒との回動境界を跨ぎ、内筒の回動を規制する低温融性の材質よりなるセンサーピンを設けた作動装置と、扉内に取り付けられたケース内に回動自在に枢支され、常時突出方向に付勢された錠杆と、該錠杆の回動に連動するハブとを有した錠とを備え、該錠のハブに上記作動装置の内筒の係合部を扉の室内側から係合させて、作動装置と錠とを接続することにより、常時はハブを介して錠杆を後退した解錠状態に保持し、火災時には上記作動装置のセンサーピンが溶融または熱変形して、内筒の回動が許容されることにより、錠のハブの回動が許容されて、錠杆が突出して施錠されるようにした扉用防火装置であって、
前記センサーピンは、内筒と外筒の回動境界線を跨いで、内筒に形成したセンサーピン用の穴と外筒に形成したセンサーピン用の穴との間に嵌装し、そのセンサーピンの一端が外気に触れるように室内側に露出させてあることを特徴とする扉用防火装置である。
【発明の効果】
【０００８】
本発明の扉用防火装置によれば、簡単な構成でコンパクトであり、しかも既製品の部材を使用することができ、熱に対する感度が高い扉の防火装置を極めて安価に提供することができる。
また、コンパクトで外観も良いので、扉の上端部または下端部の１個所、若しくは２個所に取り付けて使用されても、扉全体の外観を損なうことがない。
【図面の簡単な説明】
【０００９】
【図１】本発明の扉用防火装置の使用状態を示す、室内側から観た扉の正面図である。
【図２】図１の要部拡大正面図である。
【図３】図１の要部拡大側面図である。
【図４】図１の要部拡大背面図（室外側から観た正面図）である。
【図５】本発明の扉用防火装置の分解斜視図である。
【図６】図２のＡ−Ａ断面図である。
【図７】図６の作動装置の要部拡大図である（但しネジ２１挿通前の状態。）。
【図８】図７のＢ−Ｂ断面図である。
【図９】錠杆が後退した状態（解錠状態）の錠の内部を示す正面図である。
【図１０】図８の状態から作動装置が作動した状態を示す断面図である。
【図１１】図１０のＣ−Ｃ断面図である。
【図１２】錠杆が突出した状態（施錠状態）の錠の内部を示す正面図である。
【図１３】錠杆を後退した状態に保持させた状態（解錠保持状態）を示すものである。
【発明を実施するための形態】
【００１０】
本発明の扉用防火装置の実施の形態を図面に基づいて、以下に具体的に説明する。
【００１１】
図１は、本発明の扉用防火装置１の使用状態を示す、室内側から観た扉の正面図であって、扉Ｄの開放端側の上部に扉用防火装置１が取り付けられる。図中、Ｌは主錠、ＤＣはドアクローザー、Ｊは枠である。
【００１２】
図２ないし図４は図１の要部拡大図であり、図５は本発明の扉用防火装置１の分解斜視図、図６は図２のＡ−Ａ断面図、図７は図６の作動装置の要部拡大図、図８は図７のＢ−Ｂ線断面図、図９は錠杆７が後退した解錠状態の錠３の内部を示す正面図である。
【００１３】
本発明の扉用防火装置１は、錠杆７を有する錠３と、火災時に自動的に作動して錠３の錠杆７を突出させる作動装置２とを備える。
この作動装置２は、扉Ｄの室内側に取り付けられており、錠３に接続される内筒５と、この内筒５が回動自在に嵌装された外筒６と、前記内筒５の回動を規制するセンサーピン４とを備える。
【００１４】
錠３は、特許文献１に示されるように従来公知のもので、扉Ｄの内部に取り付けられる。
なお、扉Ｄの室外側には非常解錠装置２０が取り付けられており、必要に応じて室外側から、施錠された錠３の錠杆７を後退させて解錠操作ができる。
【００１５】
前記作動装置２は、図５ないし図８に示されるように、大径の鍔部５２と小径の軸部５１を有した内筒５と、この内筒５が回動自在に嵌装される外筒６とセンサーピン４とを備えている。
【００１６】
外筒６は、その軸方向に貫通する小径穴６１と、この小径穴６１に連接して大径穴６２が形成されており、この小径穴６１及び大径穴６２に前記内筒５の軸部５１および鍔部５２が嵌装され、回動自在に保持される。保持方法は、内筒５の軸部５１に設けた溝５６にリテーナー５７を嵌着し、このリテーナー５７が外筒６の段部６３に当接することにより、内筒５が外筒６から離脱しないように保持される。
【００１７】
なお、上記作動装置２の内筒５と外筒６は、一般の簡易な錠に使用される既製のシリンダーを構成する内筒と外筒と同じ部材を、シリンダーのタンブラーピン用の穴や、キー挿入用の溝等を加工する前の、半製品の状態の部材をそのまま使用することができ、センサーピン４嵌装用の穴５５，６５や操作溝５４のみを追加すればよい。
【００１８】
前記センサーピン４は、ヒューズなどの低融点合金やまたは樹脂等の低温融性の材質よりなり、図７及び図８に示されるように内筒５と外筒６の回動境界線Ｓを跨いで、内筒５と外筒６とに形成された穴５５，６５に嵌装される。そのように保持されたセンサーピン４の一端は外気に触れるように、室内側に露出させて設けられる。
【００１９】
ところで、作動装置２を取り付ける前に扉Ｄに取り付けられた錠３の錠杆７は、その突出方向への付勢力が規制されていないので、図１２の突出状態に保持され、連動するハブ８も図１２の状態に保持されている。
【００２０】
また、作動装置２の内筒５はセンサーピン４を嵌装していない時は、外筒６に対して回動自在であるので、コインや工具等で内筒５の操作溝５４を介して内筒５を回動し、係合部５３が上記錠３のハブ８の係合穴８３に係合可能な状態まで回動し、係合部５３を係合穴８３に係合させて、作動装置２を取り付ける。
【００２１】
次に、上記内筒５の操作溝５４を介して内筒５を、ハブ８を介して作用する錠杆７の付勢力に抗して図９の状態にまで回動して錠杆７を後退させる。この解錠状態では、図８の如く内筒５のセンサーピン嵌装用の穴５５と外筒６のセンサーピン嵌装用の穴６５とが一致するので、この穴５５，６５にセンサーピン４を嵌装する。センサーピン４嵌装後、内筒５の回動操作力を解除すると、内筒５にはハブ８を介して錠杆の突出方向への付勢により、回動方向への力が作用するので、センサーピン４は内筒５の穴５５により外筒６の穴６５に圧着された状態で保持されるので、扉開閉時の振動などで離脱することがない。
【００２２】
その他、錠３や作動装置２などの取付方法やセンサーピン４の嵌装方法としては、錠３のハブ８を工具等で、図１３の解錠保持状態にまで回動し、錠杆７を解錠状態に保持させた錠３を取り付け、作動装置２の内筒５の係合部５３をその角度に合わせて取り付けた後、図９の解錠状態にまで内筒５を回動させ、前記と同様にセンサーピン４を嵌装してもよい。
【００２３】
作動装置２の内筒５の先端部には、コイン又はドライバー等で回動操作が可能な操作溝５４が形成されており、後端部には錠３のハブ８の係合穴８３に係合して錠３に係合して接続される係合部５３が形成されている。
【００２４】
作動装置２は、図３、図５および図６に示されるように、室内側から、扉Ｄに加工された取付穴（図示せず）から挿入し、その後端部を扉Ｄの内部に取り付けた錠３のケース３１に当接させる。次に、室外側から、上記と同様に扉Ｄ内に挿入した非常解錠装置２０の外筒６０の後端部のネジ穴６６に、室内側から作動装置２の外筒６のネジ取付穴６４から挿入したネジ２１をネジ込んで取り付ける。この時、ネジ２１の締め付けによって錠３のケース３１やカバー３２が歪まないように、図６に示すようにスペーサー２２をケース３１とカバー３２との間に設けることが好ましい。
【００２５】
扉Ｄの室外側に取り付けられた非常解錠装置２０は、錠杆７が突出して施錠された錠３を必要に応じて、解錠操作するためのものであり、前記の作動装置２と同様の構成を有する。すなわち、非常解錠装置２０も作動装置２と同様の内筒５０と外筒６０を備え、内筒５０は小径の軸部５１と大径の鍔部５２を有し、先端部にはコイン等で操作できるようにした操作溝５４が形成され、後端部には前記錠３のハブ８の係合穴８３に係合する係合部５３が形成されている。また、外筒６０には、小径穴６１と大径穴６２とが形成されており、該外筒６０に上記内筒５０が嵌装され、回動自在に保持される。保持方法は、内筒５０に設けた溝５６にリテーナー５７を嵌着して、内筒５０を外筒６０から離脱しないように保持させる。
【００２６】
作動装置２と非常解錠装置２０との構成上の差異は、作動装置２の内筒５と外筒６にはセンサーピン４嵌装用の穴５５，６５が形成され、センサーピン４が嵌装されているのに対し、非常解錠装置２０にはセンサーピン４が設けられていない点と、作動装置２の外筒６にはネジ２１挿入用のネジ取付穴６４が形成されているのに対し、非常解錠装置２０の外筒６０にはネジ穴６６が形成されている点のみである。
【００２７】
上記の非常解錠装置２０では、前記の作動装置２とは異なり、センサーピン４が嵌装されていないので、内筒５０は外筒６０に対して常に回動自在な状態である。
なお、上記内筒５０の後端部にも係合部５３が形成され、錠３のハブ８の係合穴８３に係合して錠３に接続されており、錠杆７の回動に連動するハブ８の回動に内筒５０は連動して回動する。
【００２８】
ところで、図９の錠３の解錠状態では、前記作動装置２の内筒５の係合部５３が、ハブ８の係合穴８３に室内側から係合し、内筒５の回動はセンサーピン４によって規制されているので、ハブ８の回動は規制され、ハブ８に連動する錠杆７もその付勢力に抗して回動が規制され、解錠状態が保持されている。この解錠状態で室外側から非常解錠装置２０の内筒５０の操作溝５４をコイン等で回動して施錠しようとしても、ハブ８の回動が規制されているので、錠杆７を突出させて施錠することはできない。
後述するが、火災時にセンサーピン４が溶融または変形することにより、内筒５の回動の規制が解除されて、錠３が自動的に施錠された後、解錠操作する時や、取付工事等で万が一誤操作して施錠された場合に、この非常解錠装置２０が使用される。
【００２９】
なお、作動装置２と非常解錠装置２０とには、扉Ｄに加工した取付穴（図示せず）を隠蔽するための座９が取り付けられる。
座９は、図５に示されるように、薄い板状体により形成され、長方形の外形を有し、その中央部には袖部９１が打ち出し加工により一体形成されている。この袖部９１の内径寸法は上記外筒６（６０）と略同寸法に形成されると共に、左右両側には突起部９２が形成されている。
【００３０】
座９の取り付けは、扉Ｄの室内、室外側から作動装置２、非常解錠装置２０の外筒６，６０に袖部９１を嵌装する。この時、袖部９１に形成した突起部９２が外筒６，６０に当接するので小さい力で嵌装することはできないが、強く押し込めば袖部９１は、袖部９１自身の弾力により拡がり、突起部９２が外筒６，６０の外周部を圧着しながら嵌装され、図３のように取り付けられる。このように、座９はその袖部９１部が突起部９２を介して外筒６，６０に圧着して保持されるので、ネジ止めしなくても外れることはない。
【００３１】
図９は、特許文献１に示される従来公知の錠３であり、カバー３２を外した内部の構成を示すもので、板状体により形成された錠杆７がケース３１に軸部７１により回動自在に枢支されている。この錠杆７の軸部７１にはキックバネ７５が掛架され、一端はケース３１の下端部に当接させ、他端は錠杆７に固設した係止ピン７４に当接させて、錠杆７を常時突出して施錠する方向に付勢している。
【００３２】
ケース３１の後方部には、図６に示すようにハブ８の軸部８１が、錠３のケース３１とカバー３２に回動自在に枢支され、係合穴８３には、室内側から作動装置２の内筒５の係合部５３が、室外側からは非常解錠装置２０の内筒５０の係合部５３が係合されて作動装置２および非常解錠装置２０が錠３と接続されている。
【００３３】
上記ハブ８の先端部には作動ピン８２が固設されており、この作動ピン８２は前記錠杆７に形成された係合溝７２に係合し、ハブ８と錠杆７は連動して回動するように設けられている。
係合溝７２は一端が開口する水平方向の長孔状に形成され、開口部の下端部には後述する解錠保持用の係合段部７３が形成されている。
【００３４】
常時は、作動装置２の内筒５の回動はセンサーピン４により規制されており、ハブ８はその係合穴８３に係合する内筒５の係合部５３により回動が規制されている。従って、ハブ８に固設された作動ピン８２に係合溝７２が係合する錠杆７も、回動が規制され、キックバネ７５の付勢力による突出が規制され図９の解錠状態が保持される。
【００３５】
その他、図中、３３は錠３のケース３１に一体的に形成された取付板、３６はフロント板であり、それぞれに形成された取付穴３４，３７からネジ３９を挿入してネジ込み、扉Ｄに錠３を取り付ける。また、３５，３８は取付板３３，フロント板３６に形成した、錠３突出用の開口部である。
【００３６】
次に、火災が発生した場合、熱により室内側に設けられた作動装置２の低温融性のセンサーピン４は、室内側に露出しているので熱の感度が高く、ある一定以上の温度になると溶融または変形する。センサーピン４が溶融または変形すると、内筒５の回動の規制は解除されるので、内筒５の係合部５３によってその回動が規制されていたハブ８が回動可能となり、図１２に示すように、ハブ８に連動する錠杆７がキックバネ７５の付勢力により回動して突出し、錠杆７が枠Jに設けた受穴（図示せず）に係合して施錠状態となる。この時、錠杆７の上端部に形成した突起７６が、取付板３３の開口部３５の周縁部に当接して、錠杆７のそれ以上の突出が阻止される。
【００３７】
上記の施錠状態では、作動装置２の内筒５と外筒６の状態は、内筒５と外筒６の穴５５，６５に嵌装されていたセンサーピン４は溶融または変形し、内筒５の回動の規制が解除されるので、ハブ８に係合する係合部５３が回動されて、図１０，１１に示すように、内筒５が反時計方向に回動される。
【００３８】
錠杆７が突出して、枠Ｊの受穴（図示せず）に係合して施錠されると、火災の熱により扉Ｄが膨張して変形しようとするが、扉Ｄの上下方向の略中央部に取り付けられた主錠Ｌによる施錠と、扉Ｄの上部が本発明の扉用防火装置１の錠杆７によって施錠されるので、扉Ｄの変形が阻止されて、扉Ｄと枠Ｊとの間に隙間が生じない。従って、炎や煙の室外への拡散を防ぐことができ、隣接する建物等への延焼を防ぐことができる。
【００３９】
図１３は、錠杆７を後退させて解錠した状態に保持させた解錠保持状態を示すもので、火災の発生、又は工事中等に万が一誤作動して図１２の施錠状態となった錠３の錠杆７を、室外側から非常解錠装置２０の内筒５０をコイン等で回動操作して、錠３のハブ８を回動して錠杆７を後退させると図９の解錠状態となる。更に、内筒５０を回動操作方向に回動して図１３の状態にまでハブ８を回動すると、ハブ８の作動ピン８２が錠杆７の係合溝７２の開口部の下端部の係合段部７３に係合し、この状態では内筒５０によるハブ８の回動操作力を解除しても、錠杆７はその付勢力によって突出方向に回動することはなく、この解錠状態に保持される。
（変形例など）
【００４０】
上記の実施の形態例では、扉用防火装置１を扉の上端部の１個所に取り付けた場合を示したが、大型の扉等の場合、扉の下部にも取り付けることにより、火災発生時には、主錠Ｌによる施錠の他、上下の２個所の計３個所が施錠されるので、更に効果的に扉の変形を防止することができる。
【００４１】
また、本発明の扉用防火装置１を１個所に使用する時、その取付場所は扉の上端部に限られることなく、主錠Ｌの位置や扉Ｄの大きさに応じて下端部の１個所に取り付けて使用することもできる。
【００４２】
その他、室外側に取り付ける非常解錠装置２０は、必須なものでなく省略したものでも実施できる。
【符号の説明】
【００４３】
１      扉用防火装置
２      作動装置
３      錠
４      センサーピン
５      内筒
６      外筒
７      錠杆
８      ハブ
９      座
２０    非常解錠装置
５０    内筒
５３    係合部
６０    外筒
８３    係合穴
Ｄ      扉
Ｊ      枠
Ｌ      主錠
【図１】
0005991824.tif 000002
【図２】
0005991824.tif 000003
【図３】
0005991824.tif 000004
【図４】
0005991824.tif 000005
【図５】
0005991824.tif 000006
【図６】
0005991824.tif 000007
【図７】
0005991824.tif 000008
【図８】
0005991824.tif 000009
【図９】
0005991824.tif 000010
【図１０】
0005991824.tif 000011
【図１１】
0005991824.tif 000012
【図１２】
0005991824.tif 000013
【図１３】
0005991824.tif 000014